(57)【要約】【課題】  撮像装置において画像とともに表示する項目をユーザが任意に選択・設定するという操作を、より少ない手順で行うことを可能にする。【解決手段】  画像とともに表示する項目をユーザが任意に選択し、表示モードの設定として保存する。このような表示モードを複数有し、ユーザは任意に表示モードを切り替えることが可能である。また、一つないし複数の表示モードそのものを無効にすることができる。このことで、ユーザは表示モード切り替えの際に、不要な表示モードに遷移させる操作をしなくてすむ。【選択図】  図５
2007243923.tif 000002
【特許請求の範囲】
【請求項１】
複数の表示モードの各表示モードごとに、表示すべき情報を設定する設定手段と、
前記表示モードを切り替えるモード切り替え手段と、
前記モード切り替え手段による表示モードの切り替えに応じて、前記設定手段により設定された情報を表示部に表示する表示制御手段と、
前記表示モードのうち、ユーザから指示された表示モードを無効に設定する無効設定手段を有し、
前記モード切り替え手段は、表示モード切り替えの際に、前記無効設定手段により無効に設定されていない表示モードを順次切り替えることを特徴とする画像処理装置。
【請求項２】
複数の表示部を有し、
前記表示モードには前記複数の表示部のうち、第１の表示部に前記情報を表示するモードと第２の表示部に前記情報を表示するモードを含み、
前記表示制御手段は、前記モードに応じて表示を行う表示部を切り替えることを特徴とする請求項１に記載の画像処理装置。
【請求項３】
被写体を撮像し画像データを得る撮像手段を含む撮像部をさらに有し、
前記表示制御手段は、前記撮像に関する情報を表示することを特徴とする請求項２に記載の画像処理装置。
【請求項４】
前記第１の表示部は画像処理装置の背面に装着された表示パネルであり、前記第２の表示部は覗き込み型のファインダであることを特徴とする請求項３に記載の画像処理装置。
【請求項５】
前記第１の表示部は可動式であって、前記第１の表示部のうち、前記情報を表示する面が前記撮像部と対向している場合には、前記モード切り替え手段は、前記無効設定手段による無効の設定にかかわらず、前記第１の表示部に表示するモードへの切り替えを行わないことを特徴とする請求項３に記載の画像処理装置。
【請求項６】
前記第１の表示部は可動式であって、前記表示制御手段は、前記第１の表示部に表示するモードに応じた前記第１の表示部への情報表示中に、前記第１の表示部が前記撮像部と対向するよう動かされた場合には、前記第２の表示部に情報を表示することを特徴とする請求項３に記載の画像処理装置。
【請求項７】
前記第１の表示部は可動式であって、前記表示制御手段は、前記第１の表示部に表示するモードに応じた前記第１の表示部への情報表示中に前記第１の表示部が前記撮像部と対向するよう動かされた場合に、前記第２の表示部に前記第１の表示するモードで表示されていた情報を表示することを特徴とする請求項３に記載の画像処理装置。
【請求項８】
前記第１の表示部は可動式であって、前記表示制御手段は、前記第１の表示部に表示するモードに応じた前記第１の表示部への情報表示中に前記第１の表示部が前記撮像部と対向するよう動かされた場合に、前記無効設定手段による無効の設定にかかわらず、前記第２の表示部に前記情報を表示することを特徴とする請求項３に記載の画像処理装置。
【請求項９】
前記モード切り替え手段による切り替えが行われた場合に、モードの切り替えの状態を通知する通知手段を有することを特徴とする請求項１乃至８に記載の画像処理装置。
【請求項１０】
前記モード切替手段によるモードの切り替えを行うことができない場合にその旨を報知する報知手段を有することを特徴とする請求項１乃至８に記載の画像処理装置。
【請求項１１】
複数の表示モードの各表示モードごとに、表示すべき情報を設定する設定工程と、
前記表示モードを切り替えるモード切り替え工程と、
前記モード切り替え工程による表示モードの切り替えに応じて、前記設定工程により設定された情報を表示部に表示する表示制御工程と、
前記表示モードのうち、ユーザから指示された表示モードを無効に設定する無効設定工程を有し、
前記モード切り替え工程は、表示モード切り替えの際に、前記無効設定工程により無効に設定されていない表示モードを順次切り替えることを特徴とする画像処理装置の制御方法。
【請求項１２】
請求項１１に記載の制御方法をコンピュータに実行させることを特徴とするプログラム。
【発明の詳細な説明】
【技術分野】
【０００１】
本発明は、静止画像や動画像に関する情報を表示する画像処理装置及びその制御方法、記憶媒体及びプログラムに関する。
【背景技術】
【０００２】
近年、多機能・高機能化が進むデジタルカメラをはじめとする画像処理装置において、ユーザーにとって必要な機能を少ない操作数で容易に選択できることが望まれている。
【０００３】
しかし、操作部材が限られているコンパクトデジタルカメラなどでは、１つの操作部材に複数の機能・項目選択を割り当てる必要がある。１つの操作部材に複数の機能・項目選択を割り当てると、操作部材の役割を切り替える操作が増える分、ユーザの操作数は多くなり、操作が煩雑になる。
【０００４】
すなわち、コンパクト化を進めるためには操作部材の数を減らすことが望ましいが、少ない操作部材で多機能化・高機能化を進めるとユーザの操作数が多くなるという問題がある。
【０００５】
その問題を解決すべく、任意の機能パラメータの範囲を、ユーザが作動禁止にすることで、撮影者に必要な機能のみ選択して設定できるという技術が知られている（例えば、特許文献１）。
【０００６】
しかしながら、上記の技術では、選択可能なパラメータの範囲を変更したい場合には、その都度ユーザ操作によるパラメータの変更を行わなければならず、ユーザにとって煩雑であった。このような場合には、ユーザのよく使う設定をカスタマイズしたものを何種類か記憶しておきたい。
【０００７】
また、デジタルカメラの背面液晶パネルに画像を表示させるモードと、覗き込み型のファインダに表示させるモードとを切り替える技術が知られている。例えば、覗き込みファインダで情報表示切替を行わないように表示を制御する技術が開示されている（例えば、特許文献２）。
【特許文献１】特開平１０−００３１１５号公報
【特許文献２】特開２００５−２０４１０４号公報
【発明の開示】
【発明が解決しようとする課題】
【０００８】
しかしながら、表示モードが複数ある場合には、表示モードの切り替えそのものが煩雑になる。例えば、４つの表示モードが存在し、１つのボタンを押下するごとに、モードがモード１→モード２→モード３→モード４→モード１・・・と切り替わるデジタルカメラを考える。この場合にはモード２からモード１にモードを切り替える場合にはボタンを３回押下しなければならない。このように、表示モードが多くなるほどモードの切り替えに要するユーザの操作回数は増加し、煩雑となる。
【課題を解決するための手段】
【０００９】
上記課題を解決するために、本発明は、複数の表示モードの各表示モードごとに、表示すべき情報を設定する設定手段と、前記表示モードを切り替えるモード切り替え手段と、前記モード切り替え手段による表示モードの切り替えに応じて、前記設定手段により設定された情報を表示部に表示する表示制御手段と、
前記表示モードのうち、ユーザから指示された表示モードを無効に設定する無効設定手段を有し、前記モード切り替え手段は、表示モード切り替えの際に、前記無効設定手段により無効に設定されていない表示モードを順次切り替えることを特徴とする。
【発明の効果】
【００１０】
本発明により、ユーザは不要な表示モードへの切替え操作を行うことがなくなり、少ない操作で所望の表示モードの切替を行うことが可能となる。
【発明を実施するための最良の形態】
【００１１】
（第１の実施形態）
＜撮像装置１００の構成説明＞
本実施例では、画像処理装置の一例として撮像装置について述べる。図１を用いて、撮像装置１００について説明する。
【００１２】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１３】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１４】
２０は画像処理回路であり、Ａ／Ｄ変換器１６からのデータ或いはメモリ制御回路２２からのデータに対して所定の画素補間処理や色変換処理を行う。
【００１５】
また、画像処理回路２０においては、撮像した画像データを用いて所定の演算処理を行い、得られた演算結果に基づいてシステム制御回路５０が露光制御手段４０、測距制御手段４２に対して制御を行う。この制御により、ＴＴＬ（スルー・ザ・レンズ）方式のＡＦ（オートフォーカス）処理、ＡＥ（自動露出）処理、ＥＦ（フラッシュプリ発光）処理を行っている。
【００１６】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１８】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１９】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２０】
画像表示部２８を用いて撮像した画像データを逐次表示すれば、電子ファインダー機能を実現することが可能である。
【００２１】
また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２２】
３０は撮影した静止画像や動画像を格納するためのメモリであり、所定枚数の静止画像や所定時間の動画像を格納するのに十分な記憶量を備えている。
【００２３】
これにより、複数枚の静止画像を連続して撮影する連写撮影やパノラマ撮影の場合にも、高速かつ大量の画像書き込みをメモリ３０に対して行うことが可能となる。
【００２４】
また、メモリ３０はシステム制御回路５０の作業領域としても使用することが可能である。
【００２５】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【００２６】
３４は暗号／復号回路であり、撮影してメモリ３０の所定領域に記憶した画像データに対して必要に応じて暗号化処理を行うと共に、暗号化処理を行ってメモリ３０の所定領域に記憶した画像データを再生表示する際に復号化処理を行う。
【００２７】
４０は絞り機能を備えるシャッター１２を制御する露光制御手段であり、フラッシュ４８と連携することによりフラッシュ調光機能も有するものである。
【００２８】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２９】
４８はフラッシュであり、ＡＦ補助光の投光機能、フラッシュ調光機能も有する。
【００３０】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３１】
５０は撮像装置１００全体を制御するシステム制御回路、５２はシステム制御回路５０の動作用の定数、変数、プログラム等を記憶するメモリである。
【００３２】
５４はシステム制御回路５０でのプログラムの実行に応じて、文字、画像、音声等を用いて動作状態やメッセージ等を表示する液晶表示装置、スピーカー等の表示部である。表示部５４は撮像装置１００の操作部７０近辺の視認し易い位置に単数或いは複数個所設置され、例えばＬＣＤやＬＥＤ、発音素子等の組み合わせにより構成されている。
【００３３】
また、表示部５４は、その一部の機能が光学ファインダー１０４内に設置されている。
【００３４】
表示部５４の表示内容のうち、ＬＣＤ等に表示するものとしては、例えば、次の例がある。例えば、シングルショット／連写撮影表示、セルフタイマー表示、圧縮率表示、記録画素数表示、記録枚数表示、残撮影可能枚数表示などの撮影に関する情報が表示される。また、シャッタースピード表示、絞り値表示、露出補正表示、フラッシュ表示、赤目緩和表示、マクロ撮影表示などの画質に関する情報が表示される。さらにブザー設定表示、時計用電池残量表示、電池残量表示、エラー表示、複数桁の数字による情報表示、記録媒体２００の着脱状態表示、通信Ｉ／Ｆ動作表示、日付け・時刻表示、外部コンピュータとの接続状態なども表示される。
【００３５】
また、表示部５４の表示内容のうち、光学ファインダー１０４内に表示するものとしては、例えば次の例がある。合焦表示、撮影準備完了表示、手振れ警告表示、フラッシュ充電表示、フラッシュ充電完了表示、シャッタースピード表示、絞り値表示、露出補正表示、記録媒体書き込み動作表示、等である。
【００３６】
さらに、表示部５４の表示内容のうち、ＬＥＤ等に表示するものとしては、例えば、次の例がある。合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等である。
【００３７】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００３８】
また、表示部５４には、背面液晶パネルなどの外部表示器や覗き込み型の内部表示器等、１つないし複数の表示器を持つ場合がある。さらに、後述する背面液晶パネル１２０１は、ユーザーが様々な角度から被写体を確認するために回転する操作部材が付帯する場合がある。
【００３９】
５６は電気的に消去・記録可能な不揮発性メモリであり、例えばＥＥＰＲＯＭ、フラッシュメモリ等が用いられる。
ここで、これらの操作手段の具体的な説明を行う。
【００４０】
６０は電源スイッチ（メインスイッチ）で、撮像装置１００の電源オン、電源オフの各モードを切り替え設定することが出来る。また、撮像装置１００に接続された各種付属装置の電源オン、電源オフの設定も合わせて切り替え設定することが出来る。
【００４１】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４２】
６４はシャッタースイッチＳＷ２で、不図示のシャッターボタンの操作完了でＯＮとなる。そして撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理を行う。その後にメモリ３０から画像データを読み出し、圧縮・伸長回路３２で圧縮を行い、記録媒体２００に画像データを書き込む記録処理を行う。シャッタースイッチＳＷ２（６４）はこれらの一連の処理の動作開始を指示する。
【００４３】
７０は各種ボタンやタッチパネル等からなる操作部である。操作部７０には、メニューボタン、セットボタン、マクロボタン、マルチ画面再生改ページボタン、フラッシュ設定ボタン、単写／連写／セルフタイマー切り替えボタン、などの設定ボタンがある。また、メニュー移動＋（プラス）ボタン、メニュー移動−（マイナス）ボタン、再生画像移動＋（プラス）ボタン、再生画像−（マイナス）ボタン、撮影画質選択ボタンなどの操作ボタンがある。さらには露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチなどがある。さらに、撮影及び或いは再生及び或いは通信を実行する際に各種機能の選択及び切り替えを設定する選択／切り替えスイッチ、撮影及び或いは再生及び或いは通信を実行する際に各種機能の決定及び実行を設定する決定／実行スイッチがある。
【００４４】
表示部５４には、背面液晶パネル１２０１と覗き込み型ファインダ１２０２がある。それぞれの表示先には、撮影情報の表示／非表示、ヒストグラムの表示／非表示、グリッドラインの表示／非表示の設定が可能で、表示先及び設定を切り替えるためのＤＩＳＰボタン１２０３等がある。
【００４５】
なお、圧縮モードスイッチは、ＪＰＥＧ（Ｊｏｉｎｔ  Ｐｈｏｔｏｇｒａｐｈｉｃ  Ｅｘｐｅｒｔ  Ｇｐｏｕｐ）圧縮の圧縮率或いは撮像素子の信号をそのままディジタル化して記録媒体に記録するＣＣＤＲＡＷモードを選択するスイッチである。
【００４６】
ＪＰＥＧ圧縮のモードは、例えばノーマルモードとファインモードが用意されている。
【００４７】
撮像装置１００の利用者は、撮影した画像のデータサイズを重視する場合はノーマルモードを、撮影した画像の画質を重視する場合はファインモードを、それぞれ選択して撮影を行うことが出来る。
【００４８】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出す。そして圧縮・伸長回路３２により設定した圧縮率に圧縮し、必要に応じて暗号／復号回路３４により所定の暗号化処理を行った後、記録媒体２００に記録を行う。
【００４９】
ＣＣＤＲＡＷモードでは、撮像素子１４の色フィルタの画素配列に応じて、ライン毎にそのまま画像データを読み出す。そしてＡ／Ｄ変換器１６、メモリ制御回路２２を介して、メモリ３０に書き込まれた画像データを読み出し、必要に応じて暗号／復号回路３４により所定の暗号化処理を行った後、記録媒体２００に記録を行う。
【００５０】
７２はモードダイアルスイッチで、自動撮影モード、撮影モード、パノラマ撮影モード、再生モード、マルチ画面再生・消去モード、ＰＣ接続モード等の各機能モードを切り替え設定することが出来る。
【００５１】
７５は縦位置検知センサで、撮像装置１００の姿勢が縦位置、横位置であるか検知することができる。
【００５２】
８０は電源制御手段で、電池検出回路、ＤＣ−ＤＣコンバータ、通電するブロックを切り替えるスイッチ回路等により構成されている。電源制御手段８０は電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５３】
８２はコネクタ、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源手段である。
【００５４】
９０はメモリカードやハードディスク等の記録媒体とのインタフェース、９２はメモリカードやハードディスク等の記録媒体と接続を行うコネクタである。
９３はビデオ出力端子であり、テレビ等のディスプレイと接続するための端子である。
１０２は、撮像装置１００のレンズ１０を含む撮像部を覆う事により、撮像部の汚れや破損を防止するバリアである保護手段である。
【００５５】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５６】
１１０は通信手段であり、携帯電話通信機能を有する。通信方式はＴＤＭＡ（Ｔｉｍｅ  Ｄｉｖｉｓｉｏｎ  Ｍｕｌｔｉｐｌｅ  Ａｃｃｅｓｓ）方式を用いることが可能である。また、ＣＤＭＡ（Ｃｏｄｅ  Ｄｉｖｉｓｉｏｎ  Ｍｕｌｔｉｐｌｅ  Ａｃｃｅｓｓ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式を用いることが可能である。また、ＰＨＳ（Ｐｅｒｓｏｎａｌ  Ｈａｎｄｙｐｈｏｎｅ  Ｓｙｓｔｅｍ）方式を用いることが可能である。
【００５７】
１１２はアンテナ（或いはコネクタ）である。アンテナ１１２は通信手段１１０により撮像装置１００を、パケット網、ネットワーク７０２を介して画像情報管理装置（画像ゲートウェイ）と接続する。更には、ネットワーク、インターネットを介して他の機器と接続する際のアンテナ或いは有線通信の場合はコネクタとなる。
【００５８】
１１４は通信手段で、Ｂｌｕｅｔｏｏｔｈなどの無線通信機能を有する。
【００５９】
通信手段１１４は有線通信機能を有する構成としてもよい。有線通信の例としては、ＲＳ２３２ＣやＵＳＢ（Ｕｎｉｖｅｒｓａｌ  ＳｅｒｉａｌＢｕｓ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  １３９４がある。また、Ｐ１２８４、ＳＣＳＩ（Ｓｍａｌｌ  Ｃｏｍｐｕｔｅｒ  Ｓｙｓｔｅｍ  Ｉｎｔｅｒｆａｃｅ）、モデム、ＬＡＮ（Ｌｏｃａｌ  Ａｒｅａ  Ｎｅｔｗｏｒｋ）等もある。
【００６０】
また、通信手段１１４はＩｒＤＡ（Ｉｎｆｒａｒｅｄ  Ｄａｔａ  Ａｓｓｏｃｉａｔｉｏｎ）などの赤外線通信、光通信等の各種通信機能を有する構成としても良い。
【００６１】
１１６はアンテナ（或いはコネクタ）で、通信手段１１４により撮像装置１００を印刷装置（プリントサービス）等の他の機器と接続する際のアンテナ或いは有線通信の場合はコネクタである。
【００６２】
２００はメモリカードやハードディスク等の記録媒体である。
記録媒体２００は、半導体メモリや磁気ディスク等から構成される記録部２０２、撮像装置１００とのインタフェース２０４、撮像装置１００と接続を行うコネクタ２０６を備えている。
なお、記録媒体２００は本実施例では撮像装置１００に内蔵される構成として説明している。
【００６３】
図２は撮像装置の外観を示す図である。図２（ａ）において２０１は背面液晶パネル、２０２は覗き込み型ファインダである。ここでいう背面とは、撮像のためのレンズ１０を備えた面と反対側の面をいう。２０３はＤＩＳＰボタンであり、表示の切り替えを行うボタンである。
【００６４】
覗き込み型ファインダ１２０２はレンズ１０や撮像素子１４を格納した撮像部１２０４に固定されている。背面液晶パネル１２０１は、接続部１２０５を介して撮像部１２０４と接続されている。接続部１２０５は回転可能な操作部材であり、ユーザは背面液晶パネル１２０１を様々な角度に動かすことが可能である。図２（ｂ）は背面液晶パネル１２０１の表示面が撮像部１２０４と対向するよう動かされ、撮像部１２０４に収納された状態を示す。
【００６５】
なお、背面液晶パネル１２０１はスイッチ１２０６を有する。図２（ｂ）のように撮像部１２０４に背面液晶パネル１２０１を収納すると、撮像部１２０４がスイッチ１２０６を押し込み、スイッチ１２０６がＯＮ状態となる。従って、スイッチ１２０６のＯＮ／ＯＦＦ状態によって、背面液晶パネル１２０１が撮像部１２０４に収納されているか否かを検知することができる。
【００６６】
＜撮像装置１００の動作説明＞
図３に本実施例の撮像装置１００の主ルーチンのフローチャートを示す。
図３を用いて、撮像装置１００の動作を説明する。
【００６７】
電池交換等の電源投入により、システム制御回路５０はフラグや制御変数等を初期化すると共に、撮像装置１００各部の初期化処理を行う（ステップＳ１００１）。システム制御回路５０は、電源スイッチ６０の設定位置を判断し、電源スイッチ６０が電源ＯＦＦに設定されていたならば（ステップＳ１００２）、各表示部の表示を終了状態に変更する。そしてフラグや制御変数等を含む必要なパラメータや設定値、設定モードを不揮発性メモリ５６に記録する。そして電源制御手段８０により画像表示部２８を含む撮像装置１００各部の不要な電源を遮断する等の所定の終了処理を行った後（ステップＳ１００３）、ステップＳ１００２に戻る。
【００６８】
電源スイッチ６０が電源ＯＮに設定されていたならば（ステップＳ１００２）、システム制御回路５０は処理をステップＳ１００４に進める。
【００６９】
システム制御回路５０は、電源制御手段８０により電池等により構成される電源８６の残容量や動作情況を確認し、撮像装置１００の動作に問題があるか否かを判断する（ステップＳ１００４）。問題があるならば表示部５４及び或いは画像表示部２８を用いて画像や音声により所定の警告表示を行った後に（ステップＳ１００５）、処理をステップＳ１００２に戻す。
【００７０】
電源８６に問題が無いならば（ステップＳ１００４）、システム制御回路５０は処理をステップＳ１０１０に進める。
【００７１】
システム制御回路５０は、表示部５４を用いて画像や音声により撮像装置１００の各種設定状態の表示を行う。なお、画像表示部２８の画像表示の設定がＯＮであったならば、画像表示部２８も用いて画像や音声により撮像装置１００の各種設定状態の表示を行う（ステップＳ１０１０）。
【００７２】
システム制御回路５０は、モードダイアル７２の設定位置を判断し、モードダイアル７２が撮影モードに設定されていなかったならば（ステップＳ１０１１）、処理をステップＳ１０１３に進める。
【００７３】
モードダイアル７２が撮影モードに設定されていたならば（ステップＳ１０１１）、システム制御回路５０は、撮影モード処理を実行する（ステップＳ１０１２）。処理を終えたら処理をステップＳ１００２に戻す。
【００７４】
システム制御回路５０は、モードダイアル７２の設定位置を判断し、モードダイアル７２が再生モードに設定されていなければ（ステップＳ１０１３）、処理をステップＳ１００２に進める。
【００７５】
モードダイアル７２が再生モードに設定されていれば（ステップＳ１０１３）、システム制御回路５０は、撮影した画像データの概略画像データを表示する再生モード処理を実行し（ステップＳ１０１４）、処理を終えたら処理をステップＳ１００２に戻す。
【００７６】
上記のように、撮像装置１００の利用者は、撮像装置１００を携帯して撮影、再生を随時行うことが可能である。
【００７７】
図４〜図１３を参照して、本発明の第１の実施例のメニュー画面を説明する。
【００７８】
ユーザが、撮影モードでメニューボタンを押すことで図４に示すメニュー画面が表示される。ユーザは操作部７０を操作して、項目「Ｃｕｓｔｏｍ  Ｄｉｓｐｌａｙ．．．」４０１を選択することで、図５に示す表示設定メニューが表示される。
【００７９】
本実施例では、表示のモードとして４つのモードが用意されている。５０１は背面液晶パネル１２０１の表示設定のうち、第１の設定（以下「ＥＶＦモード１」）である。５０２は背面液晶パネル１２０１の表示設定のうち、第２の設定（以下「ＥＶＦモード２」）である。５０３は覗き込み型ファインダ１２０２の第１の設定（以下「ＣＶＦモード１」）である。５０４は覗き込み型ファインダ１２０２の第２の設定（以下「ＣＶＦモード２」）である。５０５は撮影情報表示、５０６はグリッドライン表示、５０７はヒストグラム表示をそれぞれ示す。ユーザは任意の表示モードで、任意の項目表示の有効／無効を設定することができる。有効に設定された機能はチェックマークが表示される。例えばチェックマーク５０８は、ＥＶＦモード１の場合には撮影情報が表示されることを示している。
【００８０】
具体的には、システム制御回路５０はユーザから項目表示の有効／無効に設定する操作を操作部７０から受け付けると、有効／無効の設定を不揮発性メモリ５６に記憶する。画面表示の際には、システム制御回路５０は記憶した設定を読み出し、その設定に応じて表示を制御する。
【００８１】
さらにユーザは操作部７０を操作することで表示モードの有効／無効を設定することができる。例えば５０３には表示モードを無効にするアイコンが表示されている。この場合にはこの表示モードへの画面遷移は行われない。表示モードの有効／無効に応じたアイコンの割り当てを図６に示す。
また、現在の表示モードについては、無効に設定することはできない。
【００８２】
各表示先に情報表示設定の表示／非表示、グリッドラインの表示／非表示、ヒストグラムの表示／非表示、プリントガイドの表示／非表示を設定できる。設定はされていても、機能しないものに関しては、グレーアウト表示を行なう。
【００８３】
次に、撮影モード処理（ステップＳ１０１２）において、表示モードの設定によって画面がどのように遷移するかについて説明する。
【００８４】
図７に表示設定メニューの一例を示す。また、図８には図７の設定に従い表示される画面を示す。
【００８５】
まず、ＥＶＦモード１において表示される画面を図８（ａ）に示す。このモードでは画像は背面液晶パネル１２０１に表示される。画像の左上には現在のモードが表示される。図７において、ＥＶＦモード１（５０１）では撮影情報表示が有効になっているため、撮影情報８０２が表示される。
【００８６】
この図８（ａ）の画面を表示した状態でユーザがＤＩＳＰボタン１２０３を押下すると、表示モードはＥＶＦモード２に遷移し、背面液晶パネル１２０１に図８（ｂ）に示す画面が表示される。図７において、ＥＶＦモード２（５０２）はグリッドライン表示とヒストグラム表示が有効になっているから、画面にはグリッドライン８０３とヒストグラム８０４が表示される。ヒストグラム８０４の一例を図８（ｅ）に示す。
【００８７】
図８（ｂ）に示す状態からユーザがＤＩＳＰボタン１２０３を押下すると、表示モードがＣＶＦモード１に遷移し、画像は覗き込み型ファインダ１２０２に表示される。ＣＶＦモード１では図８（ｃ）に示す画面が表示される。図７において、ＣＶＦモード１（５０３）はすべての項目が無効に設定されている。従って画面には５０５〜５０７のいずれもが表示されない。
【００８８】
図８（ｃ）に示す状態からユーザがＤＩＳＰボタン１２０３を押下すると、表示モードがＣＶＦモード２に遷移し、図８（ｄ）に示す画面が覗き込み型ファインダ１２０２に表示される。図７において、ＣＶＦモード２（５０４）はグリッドライン表示が有効になっているから、画面にはグリッドライン８０５が表示される。
【００８９】
図８（ｄ）に示す状態からユーザがＤＩＳＰボタン１２０３を押下すると、表示モードはＥＶＦモード１に遷移し、背面液晶パネル１２０１に図８（ａ）に示す画面が表示される。
【００９０】
このように、ユーザによるＤＩＳＰボタン１２０３の押下に応じて、複数の表示モードが周期的に切り替わる。そして表示モードに応じて、ユーザが予め設定しておいた表示項目が表示される。
【００９１】
次に図９、図１０を用いて、表示モードの一部が無効になっている場合の画面遷移を説明する。各表示モードの設定は図７と同様であるが、ＣＶＦモード１（５０３）が無効に設定されている。無効となっている表示モードには、無効であることを示すアイコン５０９が表示されている。
【００９２】
まず、ＥＶＦモード１において表示される画面を図１０（ａ）に示す。
【００９３】
この図１０（ａ）の画面を表示した状態でユーザがＤＩＳＰボタン１２０３を押下すると、表示モードはＥＶＦモード２に遷移し、背面液晶パネル１２０１に図１０（ｂ）に示す画面が表示される。
【００９４】
図１０（ｂ）に示す状態からユーザがＤＩＳＰボタン１２０３を押下すると、ＣＶＦモード１（５０３）は無効に設定されているため、表示モードはＣＶＦモード２に切り替わり、図１０（ｃ）に示す画面が覗き込み型ファインダ１２０２に表示される。すなわち、無効に設定されている表示モードへの切り替えは行われず、無効に設定されていない表示モードへと順次切り替わる。
次に、表示先を１つだけ有効にした場合の画面遷移を図１２を用いて説明する。
【００９５】
図１１、図１２を用いて表示モードが１つだけ有効な場合の画面表示について説明する。図１１に示す表示設定画面では、ＥＶＦモード１（５０１）のみが有効となっている。
【００９６】
まず、図１２（ａ）に示す画面が表示される。この図１２（ａ）の画面を表示した状態でユーザがＤＩＳＰボタン１２０３を押下しても、他の表示モードは無効に設定されているから、表示モードは遷移されない。このように表示モードが１つしか有効でないにもかかわらずＤＩＳＰボタン１２０３が押下された場合には、図１２（ｂ）に示す画面が表示される。この画面では、ユーザに表示モードの設定変更を促すダイアログ１５０１が表示される。このダイアログにより、ユーザは表示モードの有効／無効の設定を切り替えることに気付くことが出来る。
【００９７】
また、図１２（ｂ）の表示の代わりに、図１２（ｃ）に示す画面が表示されてもよい。この画面でユーザが「ＹＥＳ」１５０２を選択すると、その操作に応じて図１１の表示設定画面に画面が切り替えられ、即座に表示設定の変更が可能となる。
【００９８】
また、表示モードの切り替えの際に、どのモードからどのモードに切り替わるのかを示してもよい。以下、この点について説明する。
【００９９】
図１３に、図９の設定における表示モード切り替えの状態を示す画面を示す。まず図１３（ａ）に示す画面が表示される。このとき、モードの切り替え状態を表示する切り替えアイコン１３０１が表示される。切り替えアイコン１３０１は、現在有効に設定されている表示モードを示すアイコンが並んで表示される。図１３では有効であるＥＶＦモード１、ＥＶＦモード２、ＣＶＦモード２の３つの表示モードを示すアイコンが表示されている。
【０１００】
表示された３つのアイコンのうち、現在の表示モードを示すアイコンは四角で囲まれ、視覚的に他のモードと識別できるような表示がなされている。図１３（ａ）に示す画面はＥＶＦモード１であるから、ＥＶＦモード１のアイコン１３０２が識別表示されている。
【０１０１】
同様に、図１３（ｂ）におけるＥＶＦモード２の画面ではＥＶＦモード２のアイコン１３０３、図１３（ｃ）におけるＣＶＦモード２の画面ではＣＶＦモード２のアイコン１３０４が他のアイコンと識別して表示される。
【０１０２】
この切り替えアイコン１３０１を表示することによって、ユーザは現在どのモードで表示を行っているのか、また、次にＤＩＳＰボタン１２０３を押下した場合にどの表示モードに切り替わるのかを予測することができる。
【０１０３】
この切り替えアイコン１３０１は、図１３に示す形態に限定されない。例えば、現在の表示モードと次に切り替わる表示モードのみを表示してもよい。また、無効となっている表示モードのアイコンも図９の５０３のように、無効であることを示すアイコンとともに表示してもよい。
【０１０４】
図１４に、本実施例における各表示モードでの、画面表示のフローチャートを示す。
まず、システム制御回路５０は、図５に示す表示設定メニューで、撮影情報の表示設定が有効か無効かの設定を不揮発性メモリ５６にアクセスし取得する（Ｓ１４００）。
【０１０５】
表示設定が有効であれば、システム制御回路５０は表示モードに応じた表示部５４に撮影情報の表示を行なう（Ｓ１４０２）。表示設定が無効であれば撮影情報の表示は行なわない（Ｓ１４０１）。
【０１０６】
次にシステム制御回路５０は、グリッドラインの表示設定が有効か無効かの設定を取得する（Ｓ１４０３）。
【０１０７】
表示設定が有効であれば、システム制御回路５０はグリッドラインの表示を行ない（Ｓ１４０５）、表示設定が無効であればグリッドライン表示を行なわない（Ｓ１４０４）。
【０１０８】
次にシステム制御回路５０は、ヒストグラムの表示設定が有効か無効かの設定を取得する（Ｓ１４０６）。表示設定が有効であればヒストグラムを表示を行なう（Ｓ１４０８）。表示設定が無効であればヒストグラム表示を行なわない（Ｓ１４０７）。
【０１０９】
このように、本実施例ではユーザが自由に表示モードごとに表示項目を設定することが可能である。
【０１１０】
さらに、図５に示すように、複数の表示項目と複数の表示モードで構成されたマトリックスを設定画面として用いることで、ユーザは多数の組み合わせの中から所望の設定を簡単に行うことができる。
【０１１１】
また、表示設定画面を１画面に収めていることでユーザは表示設定の状態を一目で把握することができる。
【０１１２】
（第２の実施形態）
第１の実施形態では、４つの表示モードの切り替えについて説明した。この表示モードには、背面液晶パネル１２０１に表示するモードと覗き込み型ファインダ１２０２に表示するモードがある。
【０１１３】
しかし、ビデオ出力モードの場合には、背面液晶パネル１２０１や覗き込み型ファインダ１２０２ではなく、テレビなどの外部機器に画面が表示される。本実施例では、ビデオ出力の場合を考慮した表示モードの切り替えについて説明する。
【０１１４】
なお、本実施例におけるビデオ出力モードとは、デジタルカメラがビデオ出力端子９３を介して外部機器と接続している状態をいう。
【０１１５】
また、背面液晶パネル１２０１には回転する操作部材が付帯し、背面液晶パネル１２０１をいろいろな角度に動かすことが出来るものがある（以下、このような背面液晶パネルを「バリアングルＬＣＤ」と呼ぶ）。このバリアングルＬＣＤ１２０１は、図２（ｂ）に示すように、ユーザに液晶面、すなわち画像の表示面を見せないよう本体部に収納することが可能である（以下、図２（ｂ）の状態を「バリアングルＬＣＤを閉じた」状態と呼ぶ）。
【０１１６】
バリアングルＬＣＤ１２０１が閉じられた状態では、例えＥＶＦモードが有効になっていたとしても、ユーザが画面を見ることができない。従って、バリアングルＬＣＤ１２０１が閉じられた状態であり、かつ表示モードがＥＶＦモードである場合には、ユーザに画面を表示する手段が必要となる。
【０１１７】
本実施例では、バリアングルＬＣＤ１２０１を閉じた状態も考慮した表示モードの切り替えについて説明する。
なお、本実施例の説明においては、第１の実施形態の共通の部分については説明を割愛し、第２の実施形態に特有の部分について詳細に説明する。
【０１１８】
まず、バリアングルＬＣＤ１２０１を閉じた状態で表示モードをＥＶＦモードに切り替えようとした場合について説明する。例えば図７に示す設定において、表示モードがＣＶＦモード２の場合には図８（ｄ）に示す画像が表示される。バリアングルＬＣＤ１２０１は閉じられているものとする。
【０１１９】
図８（ｄ）の画面を表示した状態でユーザがＤＩＳＰボタン１２０３を押下すると、表示モードはＥＶＦモード１ではなく、ＣＶＦモード１に切り替わり、図８（ｃ）に示す画面が表示される。すなわち、バリアングルＬＣＤ１２０１を閉じた状態では、ＥＶＦモードへの切り替えはその有効・無効の設定に関わらず行われない。
【０１２０】
次に、ＥＶＦモードのときにバリアングルＬＣＤ１２０１がユーザによって閉じられた場合を考える。図７に示すような表示設定がなされている場合には、表示モードがＥＶＦモード１のときに図８（ａ）の画面が表示される。
【０１２１】
図８（ａ）の画面を表示した状態でバリアングルＬＣＤ１２０１がユーザにより閉じられた場合を考える。この場合には、画面はバリアングルＬＣＤ１２０１ではなく、覗き込み型ファインダ１２０２に表示される。そして、この場合には表示モードはＣＶＦモードではなくＥＶＦモード１であるため、表示はＥＶＦモード１の設定が適用されて表示される。従って、覗き込み型ファインダ１２０２には図８（ｃ）や図８（ｄ）の画面ではなく、図８（ａ）に示す画像が表示される。つまり、ＥＶＦモード１で背面液晶パネル１２０１に表示される画面が覗き込み型ファインダ１２０２に表示される。
【０１２２】
なお、この場合の表示モードはＥＶＦモード１であるから、ＣＶＦモード１、２がともに無効に設定されていたとしても、覗き込み型ファインダ１２０２に図８（ａ）に示す画面が表示される。
【０１２３】
逆に、ＥＶＦモード１で表示される画面が覗き込み型ファインダ１２０２に表示されている状態で、再度バリアングルＬＣＤ１２０１が開かれると、バリアングルＬＣＤ１２０１に図８（ａ）に示す画面が表示される。そして覗き込み型ファインダ１２０２に表示されていた画面は消去される。
【０１２４】
なお、ビデオ出力モードになっている場合には、バリアングルＬＣＤ１２０１が閉じているか否かにかかわらず、その時点の表示モードで表示を行う。ビデオ出力モードでは画面はディスプレイ（図示せず）に表示されるので、バリアングルＬＣＤ１２０１を閉じていてもユーザは画面を見ることができるからである。
【０１２５】
本実施例の処理の流れを、図１５、図１６に示すフローチャートを用いて説明する。
【０１２６】
図１５はバリアングルＬＣＤ１２０１が予め開いている場合の処理を示すものである。
【０１２７】
まず、システム制御回路５０はビデオ出力端子９３の状態を調べ、ビデオ出力モードになっているか否かを確認する（ステップＳ１５０１）。
【０１２８】
ビデオ出力モードではない場合と判断した場合には、システム制御回路５０はＤＩＳＰボタン１２０３が押下されたか否かを判断する（ステップＳ１５０２）。
【０１２９】
ＤＩＳＰボタン１２０３が押下されたと判断した場合には、システム制御回路５０は次の表示モードの情報を取得する（ステップＳ１５０３）。次の表示モードとは、無効に設定されている表示モードを除いて、次に切り替わるモードである。
【０１３０】
表示モードの情報を取得すると、システム制御回路５０は表示モードを切り替える（ステップＳ１５０４）。
【０１３１】
表示モードを切り替えると、システム制御回路５０は現在の（ステップＳ１５０４で切り替えた後の）モードがＥＶＦモードかＣＶＦモードかを判断する（ステップＳ１５０５）。
【０１３２】
そしてＥＶＦモードであると判断した場合には、システム制御回路５０はステップＳ１５０３で取得した情報に従って背面液晶パネル１２０１に画面を表示する（ステップＳ１５０６）。ＣＶＦモードであると判断した場合には、システム制御回路５０はステップＳ１５０３で取得した情報に従って覗き込み型ファインダ１２０２に画面を表示する（ステップＳ１５０７）。
【０１３３】
ステップＳ１６０２においてＤＩＳＰボタン１２０３が押下されなかったと判断した場合には、システム制御回路５０はスイッチ１２０６の状態を調べ、バリアングルＬＣＤ１２０１が閉じられたか否かを、判断する（ステップＳ１５０８）。
【０１３４】
閉じられていないと判断した場合には、システム制御回路は処理をステップＳ１５０１に戻す。閉じられていると判断した場合には、現在の表示モードの情報を取得する（ステップＳ１５０９）。
【０１３５】
表示モードの情報取得後、システム制御回路５０は現在のモードがＥＶＦモードかＣＶＦモードかを判断する（ステップＳ１５１０）。
【０１３６】
現在のモードがＣＶＦモードであると判断した場合には、システム制御回路５０はステップＳ１５０９で取得した情報に従って覗き込み型ファインダ１２０２に画面を表示する（ステップＳ１５１２）。そしてシステム制御回路５０は、図１６に示す閉じ状態のフロー（後述）に処理を移行させる。
【０１３７】
現在のモードがＥＶＦモードであると判断した場合には、システム制御回路５０はステップＳ１５０９で取得した情報に従い、背面液晶パネル１２０１ではなく、覗き込み型ファインダ１２０２に画面を表示する（ステップＳ１５１１）。そしてシステム制御回路５０は、図１６に示す閉じ状態のフローに処理を移行させる。
【０１３８】
ステップＳ１５０１においてビデオ出力モードであると判断した場合には、システム制御回路５０は現在の表示モードの情報を取得する（ステップＳ１５１３）。
【０１３９】
そしてシステム制御回路５０は、ステップＳ１５１３で取得した情報に従い、ディスプレイに画面を表示する（ステップＳ１５１４）。
【０１４０】
次に、バリアングルＬＣＤ１２０１が予め閉じている場合の処理を図１６を用いて説明する。
【０１４１】
まず、システム制御回路５０はビデオ出力端子９３の状態を調べ、ビデオ出力モードになっているか否かを確認する（ステップＳ１６０１）。
【０１４２】
ビデオモードではない場合と判断した場合には、システム制御回路５０はＤＩＳＰボタン１２０３が押下されたか否かを判断する（ステップＳ１６０２）。
【０１４３】
ＤＩＳＰボタン１２０３が押下されたと判断した場合には、システム制御回路５０は次の表示モードの情報を取得する（ステップＳ１６０３）。
【０１４４】
表示モードの情報を取得すると、システム制御回路５０は次のモードがＥＶＦモードかＣＶＦモードかを判断する（ステップＳ１６０４）。
【０１４５】
次のモードがＣＶＦモードであると判断した場合には、システム制御回路５０は表示モードを切り替える（ステップＳ１６０５）。そしてステップＳ１６０３またはステップＳ１６１５（後述）で取得した情報に従って覗き込み型ファインダ１２０２に画面を表示し（ステップＳ１６０６）、処理をステップＳ１６０１に戻す。
【０１４６】
ステップＳ１６０４において次のモードがＥＶＦモードであると判断した場合には、システム制御回路５０はＥＶＦモードを無効とみなし、次のＣＶＦモードの情報を取得し（ステップＳ１６１５）、処理をステップＳ１６０５に進める。
【０１４７】
ステップＳ１６０２においてＤＩＳＰボタン１２０３が押下されなかったと判断した場合には、システム制御回路５０はスイッチ１２０６の状態を調べ、バリアングルＬＣＤ１２０１が開かれたか否かを判断する（ステップＳ１６０７）。
【０１４８】
開かれていないと判断した場合には、システム制御回路は処理をステップＳ１６０１に戻す。開かれていると判断した場合には、現在の表示モードの情報を取得する（ステップＳ１６０８）。
【０１４９】
表示モードの情報取得後、システム制御回路５０は現在のモードがＥＶＦモードかＣＶＦモードかを判断する（ステップＳ１６０９）。
【０１５０】
現在のモードがＣＶＦモードであると判断した場合には、システム制御回路５０はステップＳ１６０８で取得した情報に従い、覗き込み型ファインダ１２０２に画面を表示する（ステップＳ１６１１）。そしてシステム制御回路５０は、図１５に示す開き状態のフローに処理を移行させる。
【０１５１】
現在のモードがＥＶＦモードであると判断した場合には、システム制御回路５０はステップＳ１６０８で取得した情報に従い、背面液晶パネル１２０１に画面を表示する（ステップＳ１６１０）。そしてシステム制御回路５０は、図１５に示す開き状態のフローに処理を移行させる。
【０１５２】
ステップＳ１６０１においてビデオ出力モードであると判断した場合には、システム制御回路５０は現在の表示モードの情報を取得する（ステップＳ１６１２）。
【０１５３】
そしてシステム制御回路５０は、ステップＳ１６１２で取得した情報に従い、ディスプレイに画面を表示する（ステップＳ１６１３）。
【０１５４】
本実施例によれば、ビデオ出力モード及びバリアングルＬＣＤの状態を考慮した表示モードの制御を行うことができる。その結果、ユーザはビデオ出力モードやバリアングルＬＣＤの状態を意識して表示モードの設定を切り替えなくとも、自然な表示状態で画面を見ることができる。
【０１５５】
また、本発明の目的は、前述した実施例の機能を実現するソフトウエアのプログラムコードを記録した記録媒体を用いることでも実現できる。すなわち、そのシステムあるいは装置のコンピュータ（またはＣＰＵまたはＭＰＵ）が記録媒体に格納されたプログラムコードを読み出し実行することによっても、達成されることは言うまでもない。
【図面の簡単な説明】
【０１５６】
【図１】本発明の一実施例の撮像装置のブロック図である。
【図２】第１の実施形態における撮像装置の背面図である。
【図３】第１の実施形態における撮像装置主ルーチンのフローチャートである。
【図４】第１の実施形態における撮影メニューである。
【図５】第１の実施形態における表示設定画面である。
【図６】第１の実施形態における表示先を表現するアイコンである。
【図７】第１の実施形態における表示設定画面である。
【図８】第１の実施形態におけるボタン操作による画面遷移例である。
【図９】第１の実施形態における表示設定画面である。
【図１０】第１の実施形態におけるボタン操作による画面遷移例である。
【図１１】第１の実施形態における表示設定画面である。
【図１２】第１の実施形態における表示切替を促すダイアログ表示の一例である。
【図１３】第１の実施形態における画面遷移におけるアイコン表示の一例である。
【図１４】第１の実施形態における各種設定及び表示のフローチャートである。
【図１５】第２の実施形態における表示処理のフローチャートである。
【図１６】第２の実施形態における表示処理のフローチャートである。
【図１】
2007243923.tif 000003
【図２】
2007243923.tif 000004
【図３】
2007243923.tif 000005
【図４】
2007243923.tif 000006
【図５】
2007243923.tif 000007
【図６】
2007243923.tif 000008
【図７】
2007243923.tif 000009
【図８】
2007243923.tif 000010
【図９】
2007243923.tif 000011
【図１０】
2007243923.tif 000012
【図１１】
2007243923.tif 000013
【図１２】
2007243923.tif 000014
【図１３】
2007243923.tif 000015
【図１４】
2007243923.tif 000016
【図１５】
2007243923.tif 000017
【図１６】
2007243923.tif 000018